(57)【要約】 【課題】  端子金具のキャビティ内への挿入作業性を向上させる。【解決手段】  雌端子金具１０は、相手の雄端子金具ＭのタブＭｔと接触する接触片１７を内部に備えた箱形をなす本体部１１を有し、本体部１１の後端に、天側係止部２１と底側係止部２２とが設けられる。天側係止部２１は天板１６の後縁により形成され、底側係止部２２は、側板２３からの延出部２５が底板１５から浮いた状態で曲げられて、その延出部２５の後縁により形成される。両係止部２１，２２は、タブＭｔの進入位置を挟んだ対称位置に形成される。雌端子金具１０は、雌ハウジング３０のキャビティ３２内に挿入されるに当たり、上下の向きは任意である。雌端子金具１０が挿入されると、ランス３５が、天側係止部２１と底側係止部２２の一方に係止して一次係止され、次に本係止位置に押し込まれたリテーナ４５の係止突条４７が他方に係止して、二重に抜け止めされる。【選択図】  図１
2006066324.tif 000002
【特許請求の範囲】
【請求項１】
相手端子との接続部分が設定された箱形の本体部を備えて電線の端末に固着された端子金具であって、コネクタハウジングに設けられたキャビティ内に挿入され、このキャビティの一側壁に設けられた樹脂ランスにより係止されて収容されるものにおいて、
前記本体部の前記接続部分を挟んだ対称位置に、前記樹脂ランスに対する係止部がそれぞれ設定されていることを特徴とする端子金具。
【請求項２】
一方の係止部は、前記本体部における天板の後縁部により形成されているとともに、他方の係止部は、前記本体部の側板から延出された延出部が底板の後縁部の外側に曲げられることで形成されていることを特徴とする請求項１記載の端子金具。
【請求項３】
前記他方の係止部が前記底板から浮いて設けられていることを特徴とする請求項２記載の端子金具。
【請求項４】
前記本体部の側板には、前記コネクタハウジングに装着された二重係止用のリテーナに係止可能な二次係止部が叩き出しにより形成されていることを特徴とする請求項１ないし請求項３のいずれかに記載の端子金具。
【請求項５】
コネクタハウジングに設けられたキャビティ内には、相手端子との接続部分が設定された箱形の本体部を備えて電線の端末に固着された端子金具が挿入され、前記キャビティ内に設けられた樹脂ランスにより一次係止されるとともに、前記コネクタハウジングに装着されたリテーナにより二次係止されることで前記キャビティ内に二重に抜け止めされて収容されるようにしたコネクタにおいて、
前記端子金具における前記本体部の前記接続部分を挟んだ対称位置には、一対の係止部が設けられ、一方の係止部が前記樹脂ランスに、他方の係止部が前記リテーナにそれぞれ係止可能となっていることを特徴とするコネクタ。
【請求項６】
コネクタハウジングに設けられたキャビティ内には、相手端子との接続部分が設定された箱形の本体部を備えて電線の端末に固着された端子金具が挿入され、前記キャビティ内に設けられた樹脂ランスにより一次係止されるとともに、前記コネクタハウジングに装着されたリテーナにより二次係止されることで前記キャビティ内に二重に抜け止めされて収容されるようにしたコネクタにおいて、
前記端子金具における前記本体部の前記接続部分を挟んだ対称位置には、前記樹脂ランスに対する一次係止部がそれぞれ設定されているとともに、前記本体部の側板に前記リテーナに対する二次係止部が叩き出しにより形成されていることを特徴とするコネクタ。
【発明の詳細な説明】
【技術分野】
【０００１】
本発明は、係止機能を備えた端子金具及びコネクタに関する。
【背景技術】
【０００２】
例えば雌端子金具は、相手の雄端子金具のタブと接触される弾性接触片を内部に設けた箱形の本体部を備え、その本体部の後方に設けられたバレルにより電線の端末に固着されており、この雌端子金具がコネクタハウジングのキャビティ内に挿入されると、キャビティの一側壁に設けられた樹脂ランスが、本体部に設けられた係止部に係止して抜け止めされるようになっている。一方、本体部の側板等からスタビライザが突設されるとともに、相手のキャビティにはスタビライザを挿通可能なガイド溝が形成されていて、雌端子金具が正規から上下反転された誤った姿勢でキャビティ内に挿入されると、スタビライザがキャビティの入口の口縁に当たって挿入が阻止され、いわゆる誤挿入が防止されるようになっている（例えば、特許文献１参照）。
【特許文献１】特開平７−２７２７８４号公報
【発明の開示】
【発明が解決しようとする課題】
【０００３】
しかるに近年のように、端子金具並びにコネクタハウジングに対して小型化の要望が増して来ると、スタビライザの突出長も大きく取れなくなるため、誤挿入防止機能が旨く発揮できなくなる。そうすると、端子金具が不正姿勢で挿入されて樹脂ランスによる係止が行われないままに留め置かれる結果を招く。それを避けるには、挿入前にスタビライザの位置を目視により確認したり、あるいは端子金具を挿入したのち電線をいちいち引っ張って係止がなされているか否かを確認する必要がある等、挿入作業が煩雑になるという問題があった。  
本発明は上記のような事情に基づいて完成されたものであって、その目的は、端子金具をキャビティ内へ挿入する際の作業性を向上するところにある。
【課題を解決するための手段】
【０００４】
請求項１の発明に係る端子金具は、相手端子との接続部分が設定された箱形の本体部を備えて電線の端末に固着された端子金具であって、コネクタハウジングに設けられたキャビティ内に挿入され、このキャビティの一側壁に設けられた樹脂ランスにより係止されて収容されるものにおいて、前記本体部の前記接続部分を挟んだ対称位置に、前記樹脂ランスに対する係止部がそれぞれ設定されている構成としたところに特徴を有する。
【０００５】
請求項２の発明は、請求項１に記載のものにおいて、一方の係止部は、前記本体部における天板の後縁部により形成されているとともに、他方の係止部は、前記本体部の側板から延出された延出部が底板の後縁部の外側に曲げられることで形成されているところに特徴を有する。  
請求項３の発明は、請求項１または請求項２に記載のものにおいて、前記他方の係止部が前記底板から浮いて設けられているところに特徴を有する。  
請求項４の発明は、請求項１ないし請求項３のいずれかに記載のものにおいて、前記本体部の側板には、前記コネクタハウジングに装着された二重係止用のリテーナに係止可能な二次係止部が叩き出しにより形成されているところに特徴を有する。
【０００６】
請求項５の発明は、コネクタハウジングに設けられたキャビティ内には、相手端子との接続部分が設定された箱形の本体部を備えて電線の端末に固着された端子金具が挿入され、前記キャビティ内に設けられた樹脂ランスにより一次係止されるとともに、前記コネクタハウジングに装着されたリテーナにより二次係止されることで前記キャビティ内に二重に抜け止めされて収容されるようにしたコネクタにおいて、前記端子金具における前記本体部の前記接続部分を挟んだ対称位置には、一対の係止部が設けられ、一方の係止部が前記樹脂ランスに、他方の係止部が前記リテーナにそれぞれ係止可能となっている構成としたところに特徴を有する。
【０００７】
請求項６の発明は、コネクタハウジングに設けられたキャビティ内には、相手端子との接続部分が設定された箱形の本体部を備えて電線の端末に固着された端子金具が挿入され、前記キャビティ内に設けられた樹脂ランスにより一次係止されるとともに、前記コネクタハウジングに装着されたリテーナにより二次係止されることで前記キャビティ内に二重に抜け止めされて収容されるようにしたコネクタにおいて、前記端子金具における前記本体部の前記接続部分を挟んだ対称位置には、前記樹脂ランスに対する一次係止部がそれぞれ設定されているとともに、前記本体部の側板に前記リテーナに対する二次係止部が叩き出しにより形成されている構成としたところに特徴を有する。
【発明の効果】
【０００８】
＜請求項１の発明＞
端子金具が上下逆向きのいずれの姿勢でコネクタハウジングのキャビティ内に挿入されても、本体部に設定された２つの係止部のうちのいずれか一方の係止部が樹脂ランスに係止し、抜け止めされて収容される。  
端子金具をキャビティ内に挿入して樹脂ランスで係止するに当たり、端子金具の上下の向きをいちいち気にする必要がなく、もって端子金具の挿入作業性を向上させることができる。
【０００９】
＜請求項２の発明＞
一方の係止部が、本体部の天板の後縁部により設定されたら、これと対称をなす他方の係止部は、本体部の側板からの延出部が底板の後縁部の外側に曲げられることで形成される。  
＜請求項３の発明＞
他方の係止部において、樹脂ランスの掛かり代を大きく取ることができ、また一方の係止部との対称位置を確保しやすい。  
＜請求項４の発明＞
リテーナに対する二次係止部が、本体部の側板から突出して設けられているから、本体部が小型化されても受ける制約が少なくて十分な掛かり代が確保でき、すなわち高い係止力を期することができる。
【００１０】
＜請求項５の発明＞
端子金具がコネクタハウジングの対応するキャビティ内に挿入されると、キャビティ内に設けられた樹脂ランスが、端子金具の本体部に設けられた一方の係止部に係止して一次係止され、続いてリテーナが他方の係止部に係止して二重に抜け止めされる。  
端子金具を上下いずれの向きの姿勢でも挿入できることから、挿入作業性に優れる。その上、端子金具に設けられた２つの係止部のうち、樹脂ランスに対する係止に使用されなかった言わば余った側は、リテーナに対する係止に使用されるようにしたから、端子金具自体を無駄のないコンパクトな構造にまとめることができる。
【００１１】
＜請求項６の発明＞
端子金具がコネクタハウジングの対応するキャビティ内に挿入されると、キャビティ内に設けられた樹脂ランスが、端子金具の本体部に設けられたいずれか一方の係止部に係止して一次係止され、続いてリテーナが本体部の側板に突設された二次係止部に係止して二重に抜け止めされる。  
端子金具を上下いずれの姿勢でも挿入できることから、挿入作業性に優れる。リテーナに対する二次係止部は本体部の側板から突出して設けられているから、本体部が小型化されても受ける制約が少なくて十分な掛かり代が確保でき、すなわち高い係止力を得ることができる。また、リテーナに対する二次係止部を端子金具の本体部の側板側に設けたことで、端子金具の上下方向についてはリテーナの装着スペースが不要であるか少なくて済み、その分コネクタハウジングの低背化を図ることができる。
【発明を実施するための最良の形態】
【００１２】
以下、本発明の実施形態を添付図面に基づいて説明する。  
＜実施形態１＞
本発明の実施形態１を図１ないし図１０によって説明する。  
本実施形態では雌側のコネクタを例示しており、図１に示すように、雌側のコネクタハウジング３０（以下、雌ハウジング３０という）に形成されたキャビティ３２内に、電線Ｗの端末に固着された雌端子金具１０が挿入され、ランス３５とリテーナ４５とにより二重に抜け止めされて収容されるようになっている。
【００１３】
雌端子金具１０は、導電性に優れた金属板をプレス加工することにより、図１ないし図４に示すような形状に形成されている。雌端子金具１０は大まかには、相手の雄端子金具ＭのタブＭｔ（図８参照）が前方から挿入されて接続される本体部１１の後方に、首部１２を介して、電線Ｗの端末にかしめ圧着されるワイヤバレル１３とインシュレーションバレル１４が形成された構造である。
【００１４】
本体部１１は、前後方向に細長くかつ前後両面が開口した箱形に形成されている。なお、本体部１１の底板１５は、首部１２と面一に連設されている。図３に示すように、本体部１１における天板１６の後端側の裏面からは、雄端子金具ＭのタブＭｔと弾性的に接触する接触片１７が一体的に形成されている。この接触片１７は、前方の斜め下方に向けて延出したのち先端が上向きに屈曲されて、その屈曲部分が接点１７Ａとなっており、上下方向の撓み変形可能となっている。一方、底板１５における接触片１７の接点１７Ａと対向した位置には、雄端子金具ＭのタブＭｔを挟持するべく隆起部１８が形成されている。
【００１５】
さて本体部１１の後端側には、ランス３５またはリテーナ４５に係止する一対の天側係止部２１と底側係止部２２とが形成されている。天側係止部２１は、本体部１１の天板１６の後縁によって形成されている。  
一方、底側係止部２２については、図４に示すように、本体部１１を構成する両側板２３のうちの正面から見た右側の側板２３の下端が延出されて、この延出部２５が、底板１５の下面側に所定寸法浮かせた状態で直角曲げされており、その自由端側が上方に段差状に形成され、その段差部２６が底板１５の下面の正面から見た左側縁に当てられることで、延出部２５が上記のように底板１５の下面から所定寸法浮いた状態に保持されている。そして図３に示すように、延出部２５の後縁によって、上記した底側係止部２２が形成されている。
【００１６】
ここで、天側係止部２１と底側係止部２２とは、図３に示すように、相手の雄端子金具ＭのタブＭｔの進入位置を挟んで上下の対称位置、すなわち進入線Ｘから等距離の位置にそれぞれ形成されている。もちろん、本体部１１の先端縁からの距離も同じである。底側係止部２２を形成するべく延出部２５が底板１５の下面から浮いて曲げられていることが、底側係止部２２に対する掛かり代を確保し、また天側係止部２１と対称位置に来ることを実現している。
【００１７】
雌ハウジング３０は合成樹脂製であって、図１及び図７に参照して示すように、横長のブロック状に形成され、雄端子金具Ｍを収容した相手の雄ハウジング（図示せず）と嵌合されるようになっている。  
雌ハウジング３０には、前後方向を向いたキャビティ３２が、上下２段に分かれ、かつ等ピッチで並んで形成されている。各キャビティ３２には後方から雌端子金具１０が挿入可能となっているとともに、前壁には、相手の雄端子金具ＭのタブＭｔが挿入される端子挿入口３３が開口されている。
【００１８】
各キャビティ３２の外側の壁部、すなわち上段のキャビティ３２では上壁、下段のキャビティ３２では下壁には、長さ方向のほぼ中央位置において、雌端子金具１０を一次係止するためのランス３５が形成されている。ランス３５は、両側にスリットを入れることで、前方のやや斜め内側を向いた片持ち状に形成されて、撓み変形可能となっており、先端の内側が係止縁３５Ａとなっている。ランス３５は常には、雌ハウジング３０の上面または下面の内側に収まり、かつ係止縁３５Ａがキャビティ３２内に突出するようになっており、後記するように雌端子金具１０がキャビティ３２内の正規位置まで挿入された際には、ランス３５の係止縁３５Ａが、雌端子金具１０の天側係止部２１または底側係止部２２の直後位置に突出してこれらに係止するようになっている。  
各ランス３５は、それぞれ外側に撓み変形することで係止解除されるようになっており、各ランス３５の先端の前方には、ランス３５を強制的に外側に撓み変形させるべく解除治具の挿入口３６が開口されている。
【００１９】
雌ハウジング３０における上下のキャビティ３２の列の間に位置する中間壁３８には、雌端子金具１０を二次係止するためのリテーナ４５が装着されるリテーナ装着孔４０が形成されている。このリテーナ装着孔４０は、上記したランス３５の形成位置と対応した位置において、ランス３５の長さ寸法とほぼ同じ奥行寸法を持って、左右方向に横切って形成されている。またリテーナ装着孔４０は、上段のキャビティ３２の下面、下段のキャビティ３２の上面にそれぞれ開口しているとともに、図７に示すように、左右のキャビティ３２の間の仕切壁３９の位置では、所定深さの逃がし溝４１がリテーナ装着孔４０に連通して形成されている。
【００２０】
リテーナ４５は同じく合成樹脂製であって、中間壁３８にほぼ等しい厚さと、リテーナ装着孔４０にほぼ緊密に嵌まる奥行寸法とを有する横長の角棒状に形成されている。リテーナ４５は、その前後の面に横向きに突設されたレール４６が、リテーナ装着孔４０の前後面に形成された横向きのガイド溝４２に嵌められ、ガイド溝４２に沿って左右方向の移動自由に挿入されている。
【００２１】
リテーナ４５の上面と下面とには、それぞれ係止突条４７が、各段のキャビティ３２と同数だけ、キャビティ３２間と同じピッチで形成されている。係止突条４７は、図７に示すように、雌端子金具１０の天側係止部２１または底側係止部２２に係止可能にキャビティ３２内に突出し、かつ中間壁３８の逃がし溝４１内に収まる高さ寸法と、中間壁３８すなわち逃がし溝４１の幅よりも少し小さい横幅を持って、奥行の全域にわたって形成されている。なお、上下両側の係止突条４７における上面または下面の後端部は斜めに形成され、雌端子金具１０の例えばワイヤバレル１３との干渉を避けるべく逃がし面４８となっている。
【００２２】
リテーナ４５は、詳しい説明は省略するが、図７に示す仮係止位置と、図１０に示すように、仮係止位置から左方向に所定寸法押し込まれた本係止位置とでそれぞれ保持されるようになっている。  
リテーナ４５が仮係止位置にある場合は、各係止突条４７が仕切壁３９の逃がし溝４１に収まり、すなわちキャビティ３２の側方に退避しており、雌端子金具１０がキャビティ３２内へ挿入されることを許容する状態にある。  
リテーナ４５が本係止位置に押し込まれると、各係止突条４７が、キャビティ３２の幅方向の中央部まで進出するようになっている。
【００２３】
続いて、本実施形態の作用を説明する。  
雌ハウジング３０には、リテーナ４５が仮係止位置に保持される（図１及び図７参照）。係る状態から、電線Ｗの端末に固着された雌端子金具１０が対応するキャビティ３２内に後方から挿入される。  
ここで特筆すべきは、雌端子金具１０をキャビティ３２に挿入する際の姿勢は、上下いずれの向きでも任意である。
【００２４】
例えば、図１に示すように、上下のキャビティ３２に対して、上下の雌端子金具１０が背中合わせの姿勢で挿入される場合は以下のようである。上下段とも、雌端子金具１０がキャビティ３２に挿入されると、途中で本体部１１の天板１６の前縁がランス３５に乗り上げ、ランス３５を外方に撓み変形させつつ押し込まれる。雌端子金具１０が正規量挿入されると、雌端子金具１０の本体部１１がランス３５の係止縁３５Ａを通過するため、図５及び図７の右側の縦列に示すように、ランス３５が復動して、その係止縁３５Ａが本体部１１の天側係止部２１に係止し、すなわち一次係止される。
【００２５】
また図６に参照して示すように、上下のキャビティ３２に対して、上下の雌端子金具１０が向かい合わせの姿勢で挿入される場合は、上下段とも、雌端子金具１０がキャビティ３２に挿入されると、途中で本体部１１における延出部２５の前縁がランス３５に乗り上げ、ランス３５を外方に撓み変形させつつ押し込まれる。雌端子金具１０が正規量挿入されると、同様に雌端子金具１０の本体部１１がランス３５の係止縁３５Ａを通過するため、図６及び図７の左側の縦列に示すように、ランス３５が復動して、その係止縁３５Ａが本体部１１の底側係止部２２に係止し、同じく一次係止される。
【００２６】
上記したように、各キャビティ３２に対する雌端子金具１０の挿入姿勢は上下いずれの向きでもよく、同一キャビティ３２に対して一の向きで挿入された場合に、ランス３５が天側係止部２１に係止するとすれば、上下反転された向きで挿入された場合には、ランス３５が底側係止部２２に係止するだけで、いずれしてもランス３５によって一次係止される。
【００２７】
全雌端子金具１０の対応するキャビティ３２への挿入が完了したら、リテーナ４５が仮係止位置から本係止位置に押し込まれて保持される。そうすると、例えば上下の雌端子金具１０が背中合わせの姿勢で挿入されたキャビティ３２では、図８及び図１０の右側の縦列に示すように、上下段とも、係止突条４７が逃がし溝４１からキャビティ３２の幅方向の中央部まで進出し、底側係止部２２の後方に突入してこれに係止し、すなわち二次係止される。  
また、上下の雌端子金具１０が向かい合わせの姿勢で挿入されたキャビティ３２では、図９及び図１０の左側の縦列に示すように、上下段とも、係止突条４７が逃がし溝４１からキャビティ３２の幅方向の中央部まで進出し、天側係止部２１の後方に突入してこれに係止し、同じく二次係止される。
【００２８】
なお、雌端子金具１０がキャビティ３２内に正規量だけ挿入されていない状態、すなわち半挿入状態にあると、天側係止部２１と底側係止部２２がともにリテーナ４５の挿入通路に残っているため、リテーナ４５を本係止位置まで押し込もうとした場合に、係止突条４７が天側係止部２１と底側係止部２２のいずれかに当たって押し込みが規制される。  
このように、リテーナ４５の本係止位置への押し込みが規制されることで、半挿入状態の雌端子金具１０が残っていることが検知でき、その場合は、雌端子金具１０を正規位置まで挿入したのち、改めてリテーナ４５を本係止位置に押し込めばよい。
【００２９】
いずれのキャビティ３２においても、挿入された雌端子金具１０は、ランス３５が天側係止部２１と底側係止部２２のいずれか一方に係止することで一次係止され、反対側で空いている他方にリテーナ４５が係止して二重係止される。  
そののち雌ハウジング３０が相手の雄ハウジングに嵌合されると、図８及び図９に示すように、雄ハウジングに装着された雄端子金具ＭのタブＭｔが、キャビティ３２の前壁の端子挿入口３３を通って雌端子金具１０の本体部１１内に前方から進入し、接触片１７と隆起部１８との間で弾性的に挟持されることで接触が取られる。
【００３０】
以上説明したように本実施形態によれば、雌端子金具１０を対応するキャビティ３２に挿入するに当たって、上下いずれの向きの姿勢で挿入しても、ランス３５による一次係止と、引き続くリテーナ４５による二次係止とを行うことができ、すなわち雌端子金具１０の上下の向きをいちいち気にする必要がなく、もって挿入作業性が向上する。その上、雌端子金具１０に設けられた天側係止部２１と底側係止部２２の２つの係止部のうち、ランス３５に対する係止に使用されなかった側、言わば余った側は、リテーナ４５に対する係止に使用されるようにしたから、雌端子金具１０自体が無駄のないコンパクトな構造にまとめられる。
【００３１】
また底側係止部２２は、本体部１１を構成する側板２３の下端の延出部２５が、底板１５の下面側に所定寸法浮いた状態で直角曲げされて、この延出部２５の後縁によって形成されている。このように底側係止部２２が底板１５から浮いた状態で設けられていることにより、ランス３５またはリテーナ４５の係止突条４７の掛かり代を大きく取ることができ、また、相手の雄端子金具ＭのタブＭｔの進入線Ｘを挟んで天側係止部２１と対称位置に来ることが実現される。
【００３２】
＜実施形態２＞
次に、本発明の実施形態２を図１１ないし図１４によって説明する。  
この実施形態２では、実施形態１に対し、主にリテーナ７０による二次係止構造に変更が加えられている。なお以下の説明において、実施形態１と同様の機能を有する部位については、実施形態１と適宜に同一符号を用い、重複した説明を省略または簡略化する。
【００３３】
雌端子金具５０は、実施形態１の雌端子金具１０に対して、リテーナ７０用の係止部が付加形成されている。詳細には、図１１及び図１２に示すように、本体部１１を構成する左右の側板２３には、長さ方向の中央部よりも少し前方に寄った位置で、かつ中央高さ位置に、リテーナ係止部５１が設けられている。このリテーナ係止部５１は、両側板２３が外方に叩き出されることにより、前後方向を向きかつ前方が閉じて後方に開口した短寸の突条形に形成されており、このリテーナ係止部５１の切り立った後端面がリテーナ係止面５２となっている。
【００３４】
一方、雌ハウジング６０については、主にリテーナ７０の装着構造について変更が加えられている。  
実施形態１の雌ハウジング３０との共通構造を簡単に説明すると、雌ハウジング６０内には、前後方向を向いたキャビティ３２が、上下２段に分かれかつ等ピッチで並んで形成されている。各キャビティ３２の外側の壁部には、雌端子金具５０を一次係止するためのランス６２が撓み変形可能に設けられており、雌端子金具５０がキャビティ３２内の正規位置まで挿入された際には、ランス６２に設けられた係止突起６３が、雌端子金具５０の天側係止部２１または底側係止部２２の直後位置に突出してこれらに係止可能となっている。
【００３５】
雌ハウジング６０の下面には、上記したランス６２の形成位置の直前においてほぼ全幅にわたるようしてリテーナ装着孔６５が開口されており、このリテーナ装着孔６５内に、雌端子金具５０を二次係止するためのリテーナ７０が装着されるようになっている。  
リテーナ７０は、雌端子金具５０の本体部１１の長さよりも少し短い程度の奥行寸法を持ち、各キャビティ３２と対応した窓孔７１を上下２段に分けて列設した横長の格子状に形成されている。なお、上段側の窓孔７１は上面に開口している。
【００３６】
リテーナ７０の各窓孔７１では、左右の側壁の間隔が、雌端子金具５０の本体部１１の幅とほぼ等しく形成されている。なお各窓孔７１の高さは、本体部１１の高さよりも少し大きく形成されている。  
窓孔７１の左右の側壁には、雌端子金具５０の本体部１１の両側板２３に設けられたリテーナ係止部５１を挿通する挿通溝７３が形成されている。この挿通溝７３は、窓孔７１の側壁の後縁から前縁の少し手前の位置まで水平に入り込んだ横溝７４と、その奥端から下方に向けて切り込まれた縦溝７５とから構成されている。そして、この縦溝７５における後縁（図１１の右縁）が、リテーナ係止部５１の係止面５２に係止する係止縁７５Ａとなっている。
【００３７】
リテーナ７０は、詳しい説明は省略するが、図１１及び図１３に示すように、その下面がリテーナ装着孔６５の入口から下方に突出した仮係止位置と、図１４に示すように、同下面が、リテーナ装着孔６５の入口に面一に収まった本係止位置とでそれぞれ保持されるようになっている。  
リテーナ７０が仮係止位置にある場合は、各窓孔７１の側壁に設けられた挿通溝７３の横溝７４が、キャビティ３２に挿入された雌端子金具５０のリテーナ係止部５１の進入通路と整合し、雌端子金具５０の本体部１１がリテーナ７０の窓孔７１内に進入することを許容する設定となっている。なお、雌端子金具５０が正規位置まで挿入された場合は、リテーナ係止部５１は横溝７４の奥端、すなわち縦溝７５の上端にまで達する。  
一方、リテーナ７０が本係止位置に押し込まれると、リテーナ係止部５１が縦溝７５内に相対的に下がって入り込むようになっている。
【００３８】
なお、各ランス６２は、それぞれ外側に撓み変形することで一次係止が解除されるようになっており、上段側では、各ランス６２の先端の前方に、ランス６２を強制的に外側に撓み変形させるべく解除治具の挿入口３６が開口されている。一方、下段側に対しては、リテーナ７０における下側の各窓孔７１における下縁に、同解除治具の挿入口３６Ａが形成されている。
【００３９】
続いて、実施形態２の作用を説明する。  
雌ハウジング６０には、リテーナ７０が仮係止位置に保持される（図１１参照）。係る状態から、電線Ｗの端末に固着された雌端子金具５０が対応するキャビティ３２内に後方から挿入される。  
ここで同様に、雌端子金具５０をキャビティ３２に挿入する際の姿勢は、上下いずれの向きでも任意である。
【００４０】
一例として、図１１に示すように、ランス６２が向かい合わせに配された上下のキャビティ３２に対して、上下の雌端子金具５０が同じ上下方向の姿勢で挿入された場合を説明する。言い方を変えると、ランス６２の位置に基づくキャビティ３２の構造を基準にした場合、上段と下段とでは雌端子金具５０の上下の向きが逆であると言える。  
上段側では、雌端子金具５０がキャビティ３２に挿入されると、途中で本体部１１の天板１６の前縁がランス６２に乗り上げ、ランス６２を外方に撓み変形させつつ押し込まれ、続いて本体部１１がリテーナ７０の対応する窓孔７１に進入して、途中からリテーナ係止部５１が挿通溝７３の横溝７４に進入する。雌端子金具５０が正規量挿入されると、図１３に示すように、リテーナ係止部５１が縦溝７５の上端に達し、それとともに本体部１１がランス６２の係止突起６３を通過するため、ランス６２が復動して、係止突起６３が本体部１１の天側係止部２１に係止し、すなわち一次係止される。
【００４１】
下段側では、雌端子金具５０がキャビティ３２に挿入されると、途中で本体部１１の延出部２５の前縁がランス６２に乗り上げて、ランス６２を外方に撓み変形させつつ押し込まれ、続いて同様に本体部１１がリテーナ７０の対応する窓孔７１に進入して、途中からリテーナ係止部５１が挿通溝７３の横溝７４に進入する。雌端子金具５０が正規量挿入されると、同じくリテーナ係止部５１が縦溝７５の上端に達し、それとともに本体部１１がランス６２の係止突起６３を通過するため、ランス６２が復動して、係止突起６３が本体部１１の底側係止部２２に係止し、すなわち一次係止される。
【００４２】
上記したように、各キャビティ３２に対する雌端子金具５０の挿入姿勢は上下いずれの向きでもよく、ランス６２が天側係止部２１と底側係止部２２のいずれかに係止して一次係止され、またリテーナ係止部５１は挿通溝７３における縦溝７５の上端に達する。  
全雌端子金具５０の対応するキャビティ３２への挿入が完了したら、リテーナ７０が仮係止位置から本係止位置に押し込まれて保持される。そうすると、図１４に示すように、雌端子金具５０のリテーナ係止部５１が縦溝７５内を相対的に下方に移動し、縦溝７５の後縁である係止縁７５Ａの上部側が、リテーナ係止部５１の係止面５２に係止し、すなわち二次係止される。
【００４３】
なお、雌端子金具５０がキャビティ３２内に正規量だけ挿入されていない状態、すなわち半挿入状態にあると、リテーナ係止部５１が挿通溝７３の横溝７４内に残っているため、リテーナ７０を本係止位置まで押し込もうとした場合に、横溝７４の下縁がリテーナ係止部５１に当たって押し込みが規制される。  
このように、リテーナ７０の本係止位置への押し込みが規制されることで、半挿入状態の雌端子金具５０が残っていることが検知でき、その場合は、雌端子金具５０を正規位置まで挿入したのち、改めてリテーナ７０を本係止位置に押し込めばよい。
【００４４】
以上のように実施形態２では、雌端子金具５０が対応するキャビティ３２内に挿入されると、キャビティ３２内に設けられたランス６２が、雌端子金具５０の天側係止部２１と底側係止部２２のいずれか一方に係止して一次係止され、続いてリテーナ７０が本体部１１の側板２３に突設されたリテーナ係止部５１に係止して二重に抜け止めされる。雌端子金具５０を上下いずれの姿勢で挿入しても一次係止させることが可能であるから、雌端子金具５０の上下の向きをいちいち気にする必要がなく、挿入作業性に優れたものとなる。
【００４５】
一方、リテーナ７０に二次係止されるリテーナ係止部５１は、本体部１１の側板２３から突出して設けられているから、本体部１１が小型化されても受ける制約が少なくて十分な掛かり代が確保でき、すなわち高い係止力を得ることができる。  
また、リテーナ７０に対するリテーナ係止部５１を雌端子金具５０の本体部１１の側板２３側に設けた構造としたことにより、リテーナ７０を上下方向に差し込む形式にでき、上記実施形態１のように、雌ハウジング３０の中間壁３８にリテーナ７０を横差しする形式のものと比べて、中間壁３８Ａを薄く形成でき、その分、雌ハウジング６０の低背化を図ることができる。
【００４６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）実施形態２において、リテーナ係止部は本体部における左右の側板のいずれか一方のみに設けられていてもよい。  
（２）コネクタハウジング内にキャビティ列が３段以上、または１段のみが形成されたものにも同様に適用することができる。
【００４７】
（３）本発明は、上記実施形態に例示した雌端子金具に限らず、雄端子金具並びにこれを収容する雄側のコネクタにも適用することが可能である。  
（４）端子金具を電線の端末に固着する形式は、上記実施形態に例示したバレルによる圧着に限らず、圧接刃による圧接であってもよい。
【図面の簡単な説明】
【００４８】
【図１】本発明の実施形態１に係る雌端子金具の挿入前の状態の縦断面図
【図２】雌端子金具の展開状態と組付状態を示す平面図
【図３】雌端子金具の一部切欠側面図
【図４】その正面図
【図５】雌端子金具が背中合わせの姿勢で挿入されてランスにより一次係止された状態を示す縦断面図
【図６】雌端子金具が向かい合わせの姿勢で挿入されてランスにより一次係止された状態を示す縦断面図
【図７】リテーナが仮係止位置にある場合の部分横断面図
【図８】雌端子金具が背中合わせの姿勢で挿入された場合におけるリテーナで二重係止された状態を示す縦断面図
【図９】雌端子金具が向かい合わせの姿勢で挿入された場合におけるリテーナで二重係止された状態を示す縦断面図
【図１０】リテーナが本係止位置に押し込まれた状態の部分横断面図
【図１１】本発明の実施形態２に係る雌端子金具の挿入前の状態の縦断面図
【図１２】雌端子金具の正面図
【図１３】雌端子金具が挿入されてランスにより一次係止された状態を示す縦断面図
【図１４】雌端子金具がリテーナで二重係止された状態を示す縦断面図
【符号の説明】
【００４９】
１０…雌端子金具
１１…本体部
１５…底板
１６…天板
１７…接触片
２１…天側係止部（一方の係止部：一次係止部）
２２…底側係止部（他方の係止部：一次係止部）
２３…側板
２５…延出部
３０…雌ハウジング
３２…キャビティ
３５…ランス（樹脂ランス）
４５…リテーナ
４７…係止突条
５０…雌端子金具
５１…リテーナ係止部（二次係止部）
６０…雌ハウジング
６２…ランス（樹脂ランス）
７０…リテーナ
７３…挿通溝
７５Ａ…係止縁
Ｍ…雄端子金具（相手端子）
Ｍｔ…タブ
Ｗ…電線
Ｘ…（タブＭｔの）進入線（接続部分）
【図１】
2006066324.tif 000003
【図２】
2006066324.tif 000004
【図３】
2006066324.tif 000005
【図４】
2006066324.tif 000006
【図５】
2006066324.tif 000007
【図６】
2006066324.tif 000008
【図７】
2006066324.tif 000009
【図８】
2006066324.tif 000010
【図９】
2006066324.tif 000011
【図１０】
2006066324.tif 000012
【図１１】
2006066324.tif 000013
【図１２】
2006066324.tif 000014
【図１３】
2006066324.tif 000015
【図１４】
2006066324.tif 000016